(57)【要約】【課題】低コストで組立性を向上させることができるコネクタを提供すること。【解決手段】平板状に配列された導体Ｍを有するＦＰＣケーブルＣと外部の電気機器や他のケーブルとを接続するためのコネクタ１において、ＦＰＣケーブルＣの両端に第一ハウジング２を取り付けるとともに第二ハウジング３の両端にペグ４を設け、ペグ４に形成された係合穴４５が第一ハウジング２に形成された係止突起２３を係止するとともに、ペグ４に形成されたガイド片４６が第一ハウジング２に形成されたガイド溝２４をガイドすることで、部品点数が増加することを防ぐとともにコネクタ１の組立性を向上させることができる。【選択図】図１
2014216219.tif 000002
【特許請求の範囲】
【請求項１】
第一ハウジングと、前記第一ハウジングと嵌合する第二ハウジングと、を備え、前記第一ハウジングと前記第二ハウジングとのうち一方が平板状に配列された複数の導体に取り付けられるとともに、他方が前記導体と電気的に接続されるコンタクトを収容するコネクタであって、
前記第二ハウジングにおける前記導体の配列方向両端には、前記第一ハウジングと該第二ハウジングとを固定するための固定部材が設けられ、
前記固定部材は、前記第一ハウジングを係止するための係止部と、前記第二ハウジングに対して前記第一ハウジングを嵌合方向にガイドするガイド部と、を有して構成されることを特徴とするコネクタ。
【請求項２】
前記固定部材は、前記第二ハウジングに固定される第一面部と、前記第一面部と前記配列方向に対向して設けられた第二面部と、前記第一面部と前記第二面部とを連結するとともに弾性変形可能な連結部と、を有して一体に形成され、
前記係止部は、前記第二面部に設けられていることを特徴とする請求項１に記載のコネクタ。
【請求項３】
前記第一ハウジングは、前記導体における前記配列方向の両端よりも外側に設けられた一対の嵌合壁を備え、
前記嵌合壁には、前記配列方向の内側に突出した係止突起と、前記内側に開口したガイド溝と、が形成され、
前記固定部材は、前記嵌合壁よりも前記内側に配され、前記係止部は、前記配列方向の外側に開口して前記係止突起と係合する係合穴で構成され、前記ガイド部は、前記外側に突出して前記ガイド溝に挿通されるガイド片で構成されていることを特徴とする請求項１又は２に記載のコネクタ。
【発明の詳細な説明】
【技術分野】
【０００１】
本発明は、平板状に配列された複数の導体に取り付けられるコネクタに関する。
【背景技術】
【０００２】
従来、係止突起が形成された固定部材がハウジングに設けられ、平板状のケーブルと嵌合するコネクタが提案されている（例えば、特許文献１参照）。特許文献１に記載されたコネクタでは、固定部材がケーブルの配列方向の両端に設けられるとともに、係止突起と係合する凹部がケーブルの配列方向両端に形成されていることで、ハウジングとケーブルとが嵌合し、ハウジングに収容されたコンタクトとケーブルの導体とが電気的に接続される。
【先行技術文献】
【特許文献】
【０００３】
【特許文献１】特開２０１２−１１９２３４号公報
【発明の概要】
【発明が解決しようとする課題】
【０００４】
しかしながら、特許文献１に記載のコネクタでは、ケーブルとハウジングとが嵌合する際にずれが生じ、導体とコンタクトとの接触不良が起こる可能性があるとともに、組立性に劣るという不都合があった。また、このような不都合を解消するために、ハウジングにケーブルが挿通される際にハウジングがケーブルをガイドする構成とした場合、ハウジングをケーブルの寸法に合わせて形成する必要があるため、部品種類が増大し、高コスト化してしまうという不都合が考えられる。
【０００５】
本発明の目的は、低コストで組立性を向上させることができるコネクタを提供することにある。
【課題を解決するための手段】
【０００６】
本発明のコネクタは、第一ハウジングと、前記第一ハウジングと嵌合する第二ハウジングと、を備え、前記第一ハウジングと前記第二ハウジングとのうち一方が平板状に配列された複数の導体に取り付けられるとともに、他方が前記導体と電気的に接続されるコンタクトを収容するコネクタであって、前記第二ハウジングにおける前記導体の配列方向両端には、前記第一ハウジングと該第二ハウジングとを固定するための固定部材が設けられ、前記固定部材は、前記第一ハウジングを係止するための係止部と、前記第二ハウジングに対して前記第一ハウジングを嵌合方向にガイドするガイド部と、を有して構成されることを特徴とする。
【０００７】
以上のような本発明によれば、第一ハウジングと第二ハウジングとのうち一方が導体に取り付けられるとともに、第二ハウジングに設けられた固定部材が係止部とガイド部とを有することで、第一ハウジングと第二ハウジングとを容易に嵌合させることができ、導体とコンタクトとの接触不良を防ぐとともに組立性を向上させることができる。さらに、固定部材が第一ハウジングをガイドして係止することで、固定部材が導体をガイドして係止する構成と比較して、導体の構成を簡単化することができるとともに、寸法の異なる導体に対して固定部材を共通化することができ、低コスト化することができる。
【０００８】
この際、本発明のコネクタでは、前記固定部材は、前記第二ハウジングに固定される第一面部と、前記第一面部と前記配列方向に対向して設けられた第二面部と、前記第一面部と前記第二面部とを連結するとともに弾性変形可能な連結部と、を有して一体に形成され、前記係止部は、前記第二面部に設けられていることが好ましい。
【０００９】
このような構成によれば、第一面部と第二面部とが連結部によって連結されていることで、固定部材は、例えば、板金を打抜加工及び折曲加工することで一体に成形することができ、部品点数を減らして低コスト化することができる。さらに、固定部材に固定される第一面部と、係止部が設けられた第二面部と、が配列方向に対向するとともに弾性変形可能な連結部によって連結されていることで、第一面部と第二面部とが配列方向に互いに近づくように連結部を弾性変形させて、固定部材に第一ハウジングを容易に係止させることができるとともに、固定部材による第一ハウジングの係止を容易に解除することができる。
【００１０】
さらに、本発明のコネクタでは、前記第一ハウジングは、前記導体における前記配列方向の両端よりも外側に設けられた一対の嵌合壁を備え、前記嵌合壁には、前記配列方向の内側に突出した係止突起と、前記内側に開口したガイド溝と、が形成され、前記固定部材は、前記嵌合壁よりも前記内側に配されるとともに、前記配列方向の外側に開口して前記係止突起と係合する係合穴と、前記外側に突出して前記ガイド溝に挿通されるガイド片と、を有して形成されていることが好ましい。
【００１１】
このような構成によれば、嵌合壁の配列方向内側に係止突起及びガイド溝が形成されるとともに、嵌合壁よりも内側に設けられた固定部材の外側に係合穴とガイド片とが形成されていることで、第一ハウジングと第二ハウジングとが嵌合された場合に係止突起及びガイド片が配列方向外側に突出することを防ぐことができる。
【発明の効果】
【００１２】
以上のような本発明のコネクタによれば、第一ハウジングと第二ハウジングとのうち一方が導体に取り付けられるとともに、第二ハウジングに設けられた固定部材が係止部とガイド部とを有することで、低コストで組立性を向上させることができる。
【図面の簡単な説明】
【００１３】
【図１】本発明の実施形態に係るコネクタ全体を示す斜視図である。
【図２】前記コネクタの第二ハウジングを示す斜視図である。
【図３】前記第二ハウジングに設けられたペグを示す斜視図である。
【図４】前記コネクタの要部を示す斜視図である。
【発明を実施するための形態】
【００１４】
以下、本発明の実施形態を図面に基づいて説明する。本実施形態のコネクタ１は、図１、２に示すように、平板状に配列した導体Ｍを備えたＦＰＣケーブルＣに取り付けられた第一ハウジング２と、第一ハウジング２と嵌合する第二ハウジング３と、第二ハウジング３に取り付けられて第一ハウジング２と第二ハウジング３とを嵌合するための固定部材としてのペグ４と、第二ハウジング３に収容されるとともにＦＰＣケーブルＣの導体Ｍと電気的に接続されるコンタクト５と、備えて構成されている。コンタクト５は電気機器や他のケーブルと電気的に接続されており、コネクタ１によってＦＰＣケーブルＣと電気機器又は他のケーブルとが電気的に接続される。本実施形態において、ＦＰＣケーブルＣの導体Ｍの配列方向であるＸ方向と、コネクタ１の嵌合方向であるＹ方向と、ＦＰＣケーブルに対する面直方向であるＺ方向と、は図１に示す通りとし、Ｚ方向の上下は図１を基準とする。
【００１５】
第一ハウジング２は、ＦＰＣケーブルＣのＸ方向両側端部よりも外側に設けられた一対の嵌合壁２１と、嵌合壁２１同士を連結するとともにＦＰＣケーブルＣのＺ方向上側に設けられた本体部２２と、を有して構成され、嵌合壁２１と本体部２２とによってＦＰＣケーブルＣに取り付けられている。嵌合壁２１のＸ方向内側（即ち、ＦＰＣケーブルＣ側）には、図４に示すように、係止突起２３とガイド溝２４とが形成されている。ここで、第一ハウジング２は、例えば、絶縁性の樹脂で形成されているものとする。
【００１６】
第二ハウジング３には、Ｙ方向におけるＦＰＣケーブルＣとの反対側からコンタクト５が挿通され、Ｘ方向両側端部にペグ４が取り付けられている。ここで、第二ハウジング３は、例えば、絶縁性の樹脂で形成されているものとする。また、第二ハウジング３のＸ方向両端には、図２に示すように、ペグ４が設けられる凹部３１が形成され、凹部３１には後述するペグ４の取付突起４１ａが挿通される取付溝３２がさらに形成されている。
【００１７】
ペグ４は、図３にも示すように、第二ハウジング３に固定される第一面部４１と、第一面部４１と略平行であるとともにＸ方向外側に配された第二面部４２と、第一面部４１と第二面部４２とのＺ方向上側端部を連結する弾性変形可能な連結部４３と、第一面部４１のＺ方向下側に連続するとともに第一面部４１と略垂直に延びる第三面部４４と、を有して構成されている。ペグ４は、例えば、板金を打抜加工及び折曲げ加工することで一体に形成されるものとする。第二面部４２は、係合穴４５が略中央部に形成され、Ｘ方向外側に突出したガイド片４６がＺ方向下側端部に形成されている。第一面部４１のＹ方向両端には、ペグ４を第二ハウジング３に取り付けるための取付突起４１ａが形成されている。第二ハウジング３に取り付けられたペグ４は、第一ハウジング２と第二ハウジング３とが嵌合した際に、第一ハウジング２の嵌合壁２１よりもＸ方向内側に位置する。
【００１８】
ペグ４を第二ハウジング３に取り付ける際には、ペグ４の取付突起４１ａを第二ハウジング３の取付溝３２に挿通するとともに、ペグ４と第二ハウジング３とをＺ方向に近づける。取付突起４１ａからさらにＹ方向に突出した取付係止部４１ｂが、取付溝３２に形成された図示しない凹溝に係合することで、第二ハウジング３にペグ４が固定される。
【００１９】
次に、第一ハウジング２と第二ハウジング３とを嵌合する際の各部の機能について説明する。コネクタ１は、図１（Ｂ）に示すような第一ハウジング２と第二ハウジング３とが離れた分離状態から、ハウジング２、３がＹ方向に互いに近づくことで、図１（Ａ）に示すようにハウジング２、３同士が嵌合した嵌合状態となる。このようにハウジング２、３が互いに近づく際、図４に示すように、ペグ４のガイド片４６が第一ハウジング２のガイド溝２４に挿通されるとともに第三面部４４が嵌合壁２１のＺ方向下側に沿うことで、ハウジング２、３同士のＹ方向以外への相対移動が規制され、ガイド片４６とガイド溝２４とがガイド部として機能し、第一ハウジング２と第二ハウジング３とのＹ方向に沿った相対移動をペグ４がガイドする。
【００２０】
第一ハウジング２と第二ハウジング３とが近づいて第一ハウジング２の係止突起２３とペグ４の第二面部４２とが当接すると、第一面部４１と第二面部４２とが互いに近づくように連結部４３が弾性変形し、さらに第一ハウジング２と第二ハウジング３とが近づくと、ペグ４は連結部４３の復元力によって中立状態となるとともに、係止突起２３と係合穴４５とが係合する。このようにして係合穴４５と係止突起２３とが係止部として機能し、ペグ４が第一ハウジング２を係止することで、第一ハウジング２と第二ハウジング３とが嵌合状態となる。なお、嵌合状態において係止突起２３とガイド片４６とはＺ方向に並んでいる。
【００２１】
一方、係合穴４５と係止突起２３との係合を解除する際には、図１（Ａ）に示すように、Ｚ方向上側からペグ４の第二面部４２と嵌合壁２１との間に治具Ｊを挿入し、第二面部４２にＸ方向内側への力を加え、第一面部４１と第二面部４２とが互いに近づくように連結部４３を弾性変形させ、第一ハウジング２と第二ハウジング３とをＹ方向に互いに離すことで係合穴４５と係止突起２３との係合が解除される。また、第一ハウジング２と第二ハウジング３とが互いに離れるようにＹ方向に相対移動する際には、近づくように相対移動する際と略同様にガイド片４６とガイド溝２４とがガイド部として機能する。
【００２２】
このような本実施形態によれば、以下のような効果がある。即ち、第一ハウジング２に形成されたガイド溝２４とペグ４に形成されたガイド片４６とがガイド部として機能することで、組立性を向上させることができるとともに、ＦＰＣケーブルＣの導体Ｍとコンタクト５との接触不良を防止することができる。
【００２３】
さらに、ペグ４にガイド部として機能するガイド片４６と係止部として機能する係合穴４５とが形成されていることで、部品点数が増加することを防ぐことができる。
【００２４】
また、第一ハウジング２にガイド部として機能するガイド溝２４と係止部として機能する係止突起２３とが形成されていることで、ペグ４の係合穴４５及びガイド片４６をＦＰＣケーブルＣの寸法に合わせる必要がなく、寸法の異なるＦＰＣケーブルに対してペグ４を共通化することができる。さらに、第一ハウジング２がＸ方向両端の嵌合壁２１とＺ方向上側の本体部２２によってＦＰＣケーブルＣに取り付けられていることで、Ｚ方向寸法の異なるＦＰＣケーブルに対して第一ハウジング２を共通化することができる。
【００２５】
また、ペグ４のＸ方向外側に嵌合壁２１が設けられるとともに、嵌合壁２１にＸ方向内側に突出した係止突起２３が形成されていることで、嵌合状態において係止突起２３及びガイド片４６がＸ方向外側に突出してコネクタ１のＸ方向寸法が大きくなることを防ぐことができる。
【００２６】
また、ペグ４が板金の打抜加工及び折曲加工によって一体に形成されていることで、部品点数が増加することを防ぐことができる。
【００２７】
また、ペグ４の第二面部４２に形成された係合穴４５と嵌合壁２１からＸ方向に突出した係止突起２３とが係合するとともに、Ｘ方向に対向する第一面部４１と第二面部４２とが弾性変形可能な連結部４３によって連結されていることで、前述のように連結部４３を弾性変形させて係合穴４５と係止突起２３とを係合させることができるとともに係合を解除することができ、コネクタ１を嵌合状態から分離状態又は分離状態から嵌合状態に容易に移行させることができる。
【００２８】
また、第一ハウジング２と第二ハウジング３とがＸ方向両端に設けられた嵌合壁２１とペグ４とによって固定されることで、ハウジング２、３同士を確実に嵌合させることができ、各方向から外力が加えられた際に意図せずに嵌合状態が解除されることを防ぐことができる。
【００２９】
また、Ｘ方向に突出したガイド片４６がガイド溝２４に挿通されるとともに第三面部４４が嵌合壁２１のＺ方向下側に沿っていることで、第三面部４４によって第一ハウジング２と第二ハウジング３とがＺ方向に相対移動することを確実に防ぐことができる。
【００３０】
なお、本発明は、前記実施形態に限定されるものではなく、本発明の目的が達成できる他の構成等を含み、以下に示すような変形等も本発明に含まれる。例えば、前記実施形態では、ペグ４に係合穴４５とガイド片４６とが形成され、第一ハウジング２に係止突起２３とガイド溝２４とが形成されるものとしたが、係合穴が第一ハウジングに形成されるとともに係止突起がペグに形成されていてもよいし、ガイド片が第一ハウジングに形成されるとともにガイド溝がペグに形成されていてもよいし、ペグがガイド部及び係止部として機能する適宜な構成であればよい。
【００３１】
また、前記実施形態では、ペグ４に設けられた連結部４３が弾性変形することで係合穴４５と嵌合壁２１に形成された係止突起２３と係合する構成としたが、ペグと嵌合壁とのうち一方に弾性変形可能な係止突起が設けられ、この係止突起が他方に設けられた係合穴と係合する構成であってもよい。
【００３２】
また、前記実施形態では、ペグ４が第一面部４１と第二面部４２と連結部４３とを備えるものとしたが、第二面部４２と連結部４３とが省略されるとともに、第二ハウジング３に固定される第一面部に係合穴とガイド片とが形成される構成であってもよく、このような構成によれば、ペグを簡単化して低コスト化することができる。
【００３３】
また、前記実施形態では、ペグ４は板金の打ち抜き加工及び曲げ加工によって一体に形成されるものとしたが、ペグは係止部及びガイド部として機能するものであれば適宜な材料を用いて適宜な加工によって成形されていてもよく、例えば、樹脂材料を射出成形することで成形されていてもよいし、第一面部と第二面部と連結部とが別体に形成されていてもよい。
【００３４】
また、前記実施形態では、第一ハウジング２はＦＰＣケーブルＣのＸ方向両端に設けられた嵌合壁２１とＺ方向上側に設けられた本体部２２とを有するものとしたが、第一ハウジングはさらにＺ方向下側に第二本体部を有していてもよく、このような構成によれば、第一ハウジングをＦＰＣケーブルＣに確実に取り付けることができる。さらに、このような構成において、第一本体部と第二本体部とがＺ方向寸法が可変な連結壁によって連結されていれば、Ｚ方向寸法の異なるＦＰＣケーブルＣに対して第一ハウジングを共通化することができる。
【００３５】
また、前記実施形態では、ＦＰＣケーブルＣに取り付けられる第一ハウジング２に嵌合壁２１が形成されるとともに第二ハウジング３にペグ４が設けられるものとしたが、ＦＰＣケーブルＣに取り付けられる方のハウジングにペグが設けられるとともに他方のハウジングに嵌合壁が形成されていてもよい。また、嵌合壁にペグが取り付けられるとともに、嵌合壁が形成されないハウジングがペグによってガイド及び係止されてもよい。
【００３６】
また、前記実施形態では、第一ハウジング２がＦＰＣケーブルＣに直接取り付けられるとともに第二ハウジング３にコンタクト５が直接挿通されるものとしたが、ＦＰＣケーブルＣ又はコンタクト５には適宜なアダプタが取り付けられてもよく、このような構成によれば、Ｘ方向寸法の異なるＦＰＣケーブルであってもコネクタ１全体を共通化することができる。
【００３７】
また、前記実施形態では、コネクタ１がＦＰＣケーブルＣと他のケーブル又は電気機器とを接続するものとしたが、コネクタは平板状に配列された複数の導体Ｍと他のケーブル又は電気機器とを接続するものであればよく、例えば、ＦＰＣ基板に第一ハウジングが取り付けられていてもよい。
【００３８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３９】
１   コネクタ
２   第一ハウジング
３   第二ハウジング
４   ペグ（固定部材）
５   コンタクト
２３ 係止突起
２４ ガイド溝
４１ 第一面部
４２ 第二面部
４３ 連結部
４５ 係合穴
４６ ガイド片
【図１】
2014216219.tif 000003
【図２】
2014216219.tif 000004
【図３】
2014216219.tif 000005
【図４】
2014216219.tif 000006